(57)【要約】【課題】複数の電子機器を快適に操作することができるコントローラからのコードに対応できる電子機器を提供することである。【解決手段】実施形態の電子機器は、受信手段と、指示手段と、動作手段と、送信手段とを備える。前記受信手段は、コントローラから送信されるコードを受信する。前記指示手段は、第１の機器識別情報を含む第１のコードの受信に対応して、前記第１のコードに含まれた命令の実行を指示し、第２の機器識別情報を含む第２のコードの受信に対応して、前記第２のコードの外部送信を指示する。前記動作手段は、前記第１のコードに含まれた命令の実行指示に対応して、動作する。前記送信手段は、前記第２のコードの外部送信指示に対応して、前記第２のコードを外部へ送信する。【選択図】図１
2014120873.tif 000002
【特許請求の範囲】
【請求項１】
コントローラから送信されるコードを受信する受信手段と、
第１の機器識別情報を含む第１のコードの受信に対応して、前記第１のコードに含まれた命令の実行を指示し、第２の機器識別情報を含む第２のコードの受信に対応して、前記第２のコードの外部送信を指示する指示手段と、
前記第１のコードに含まれた命令の実行指示に対応して、動作する動作手段と、
前記第２のコードの外部送信指示に対応して、前記第２のコードを外部へ送信する送信手段と、
を備える電子機器。
【請求項２】
前記指示手段は、前記動作手段による動作中でも、前記第２のコードの受信に対応して、前記第２のコードの外部送信を指示する請求項１の電子機器。
【請求項３】
前記指示手段は、前記第１のコードに含まれた命令に基づき第１の映像の出力を指示し、
前記動作手段は、前記第１の映像を出力し、
前記指示手段は、前記第１の映像の出力中でも、前記第２のコードの受信に対応して、前記第２のコードの外部送信を指示する請求項２の電子機器。
【請求項４】
前記指示手段は、前記第２のコードの外部送信に対応して、外部から入力される第２の映像を含む前記第１の映像の出力を指示し、
前記動作手段は、前記第２の映像を含む前記第１の映像を出力する請求項３の電子機器。
【請求項５】
前記指示手段は、前記第２のコードの受信に応じて、前記第２のコードに関するコード情報を含む第１の映像の出力を指示し、
前記動作手段は、前記コード情報を含む前記第１の映像を出力する請求項１乃至４の何れか１つの電子機器。
【請求項６】
前記指示手段は、前記第２のコードの受信に応じて、前記第２のコードに対応するモード情報を含む第１の映像の出力を指示し、
前記動作手段は、前記モード情報を含む前記第１の映像を出力する請求項１乃至５の何れか１つの電子機器。
【請求項７】
前記受信手段は、前記コードに対応する赤外線信号を受信し、
前記送信手段は、前記第２のコードに対応する赤外線信号を送信する請求項１乃至６の何れか１つの電子機器。
【請求項８】
複数の機器に対応する複数のコードを記憶する記憶手段と、
前記複数の機器に対応する複数のモードのうちの１つのモードを指定するモード指定手段と、
前記指定されたモードを設定するモード設定手段と、
指示の入力を検出する入力キーと、
前記キーによる指示の入力検出に対応して、設定されたモードに対応するコードを送信する送信手段と、
を備えるコントローラ。
【請求項９】
設定されたモードを表示する表示手段を備える請求項８のコントローラ。
【請求項１０】
前記コントローラの動きを検出する検出手段を備え、
前記表示手段は、前記検出手段による動き検出に基づき、設定されたモードを表示する請求項９のコントローラ。
【請求項１１】
前記コントローラの動きを検出する検出手段を備え、
前記送信手段は、前記検出手段による動き検出に基づき、設定されたモードを表示する命令を送信する請求項８のコントローラ。
【請求項１２】
前記記憶手段は、第１の機器識別情報を含む第１のコード、及び第２の機器識別情報を含む第２のコードを記憶し、
前記モード指定手段は、前記第１のコードを送信する第１のモード又は前記第２のコードを送信する第２のモードを指定し、
前記モード設定手段は、前記指定された第１又は第２のモードを設定し、
前記送信手段は、設定された前記第１又は第２のモードに対応する前記第１又は第２のコードを送信し、
前記モード設定手段は、前記第２のモードが設定されてから所定期間にわたり前記キーによる指示の入力検出が無い場合、前記第２のモードを前記第１のモードへ変更する請求項８乃至１１の何れか１つのコントローラ。
【請求項１３】
前記送信手段は、前記コードに対応する赤外線信号を送信する請求項８乃至１２の何れか１つのコントローラ。
【請求項１４】
コントローラから送信されるコードを受信し、
第１の機器識別情報を含む第１のコードの受信に対応して、前記第１のコードに含まれた命令の実行を指示し、第２の機器識別情報を含む第２のコードの受信に対応して、前記第２のコードの外部送信を指示し、
前記第１のコードに含まれた命令の実行指示に対応して、動作し、
前記第２のコードの外部送信指示に対応して、前記第２のコードを外部へ送信するコード処理方法。
【請求項１５】
コントローラと前記コントローラによりコントロールされる電子機器とで構成されるシステムであって、
前記コントローラは、
第１の機器の第１の機器識別情報に対応する第１のコード、及び第２の機器の第２の機器識別情報に対応する第２のコードを記憶する記憶手段と、
前記第１及び第２の機器に対応する第１及び第２のモードのうちの１つのモードを指定するモード指定手段と、
前記指定された前記第１又は第２のモードを設定するモード設定手段と、
指示の入力を検出する入力キーと、
前記キーによる指示の入力検出に対応して、設定された前記第１又は第２のモードに対応する前記第１又は第２のコードを送信する送信手段と、
前記コントローラの動きを検出する検出手段と、
を備え、
前記送信手段は、前記検出手段による動き検出に基づき、設定された前記第１又は第２のモードを表示する第１又は第２のモード表示命令を送信し、
前記電子機器は、
前記コントローラから送信される前記第１又は第２のコード、或いは前記第１又は第２のモード表示命令を受信する受信手段と、
前記第１の機器識別情報を含む前記第１のコードの受信に対応して、前記第１のコードに含まれた命令の実行を指示し、前記第２の機器識別情報を含む前記第２のコードの受信に対応して、前記第２のコードの外部送信を指示し、前記第１のモード表示命令の受信に対応して、前記第１のモードを示す第１のモード情報を含む第１の映像の出力を指示し、前記第２のモード表示命令の受信に対応して、前記第２のモードを示す第２のモード情報を含む第２の映像の出力を指示する指示手段と、
前記第１のコードに含まれた命令の実行指示に対応して動作し、前記第１の映像の出力指示に対応して前記第１の映像を出力し、前記第２の映像の出力指示に対応して前記第２の映像を出力する動作手段と、
前記第２のコードの外部送信指示に対応して、前記第２のコードを外部へ送信する送信手段と、
を備えるシステム。
【発明の詳細な説明】
【技術分野】
【０００１】
本発明の実施形態は、電子機器、コントローラ、及びコード処理方法に関する。
【背景技術】
【０００２】
ユーザは、デジタルＴＶを単体で利用するだけでなく、デジタルＴＶに対して各種機器を接続して利用することもある。例えば、デジタルＴＶに対して、デジタルレコーダ及びセットトップボックス（ＳＴＢ）などが接続される。これらデジタルＴＶ、デジタルレコーダ、及びＳＴＢ等の電子機器の操作には、複数のリモートコントローラが利用される。デジタルＴＶの操作には、デジタルＴＶ用のリモートコントローラが利用され、デジタルレコーダの操作には、デジタルレコーダ用のリモートコントローラが利用され、ＳＴＢの操作には、ＳＴＢ用のリモートコントローラが利用される。
【先行技術文献】
【特許文献】
【０００３】
【特許文献１】特開２００４−２０７９３１号公報
【発明の概要】
【発明が解決しようとする課題】
【０００４】
上記のように、複数の電子機器を利用する場合、複数のリモートコントローラが利用される。例えば、デジタルＴＶを操作してから、デジタルレコーダを操作する場合には、ユーザは、デジタルＴＶ用のリモートコントローラを持ち、デジタルＴＶ用のリモートコントローラでデジタルＴＶを操作してから、デジタルＴＶ用のリモートコントローラをデジタルレコーダ用のリモートコントローラへ持ち替え、デジタルレコーダ用のリモートコントローラでデジタルレコーダを操作する。
【０００５】
上記のような複数のリモートコントローラの利用は面倒であり、複数の電子機器を快適に操作するための技術が要望されている。
【０００６】
本発明の目的は、複数の電子機器を快適に操作することができるコントローラ、及びこのコントローラからのコードに対応できる電子機器及びコード処理方法を提供することである。
【課題を解決するための手段】
【０００７】
実施形態の電子機器は、受信手段と、指示手段と、動作手段と、送信手段とを備える。前記受信手段は、コントローラから送信されるコードを受信する。前記指示手段は、第１の機器識別情報を含む第１のコードの受信に対応して、前記第１のコードに含まれた命令の実行を指示し、第２の機器識別情報を含む第２のコードの受信に対応して、前記第２のコードの外部送信を指示する。前記動作手段は、前記第１のコードに含まれた命令の実行指示に対応して、動作する。前記送信手段は、前記第２のコードの外部送信指示に対応して、前記第２のコードを外部へ送信する。
【図面の簡単な説明】
【０００８】
【図１】実施形態に係るデジタルテレビジョン放送受信装置（電子機器）の概略構成の一例を示す図である。
【図２】実施形態に係るデジタルテレビジョン放送受像装置と外部機器の接続例を示す図である。
【図３】実施形態に係るリモートコントローラの概略構成の一例を示す図である。
【図４】実施形態に係るリモートコントローラのキー押下に対応する動作制御等の一例を示すフローチャートである。
【図５】実施形態に係る映像表示部の画面表示例を示す図である。
【図６】実施形態に係るリモートコントローラのキー押下に対応する動作制御等の一例を示すフローチャートである。
【図７】実施形態に係る映像表示部の画面表示例を示す図である。
【図８】実施形態に係るリモートコントローラのキー押下に対応する動作制御等の一例を示すフローチャートである。
【図９】実施形態に係るリモートコントローラのキー押下に対応する動作制御等の一例を示すフローチャートである。
【図１０】各モードに対応するコード（コードテーブル）の一例を示す図である。
【発明を実施するための形態】
【０００９】
以下、実施形態について図面を参照して説明する。
【００１０】
図１は、実施形態に係るデジタルテレビジョン放送受信装置（電子機器）の概略構成の一例を示す図である。本実施形態では、映像表示部１４を備えた電子機器について説明するが、映像表示部１４は必須構成ではない。例えば、電子機器がデジタルレコーダ、デジタルプレイヤー等の場合には、電子機器は映像表示部１４を備えず、ＨＤＭＩケーブル等を介して、外部の映像表示部に対して表示情報を出力する。
【００１１】
図１を参照して、デジタルテレビジョン放送受信装置１００について説明する。図１に示すように、ＢＳ／ＣＳデジタル放送受信用のアンテナ４７で受信した衛星デジタルテレビジョン放送信号は、入力端子４８を介して衛星デジタル放送用のチューナ４９に供給され、チューナ４９は、指定されたチャンネルの放送信号を選択する。
【００１２】
そして、このチューナ４９で選択された放送信号は、ＰＳＫ（phase shift keying）復調器５０に供給されて、デジタルの映像信号及び音声信号に復調された後、信号処理部５１に出力される。
【００１３】
また、地上波放送受信用のアンテナ５２で受信した地上デジタルテレビジョン放送信号は、入力端子５３を介して地上デジタル放送用のチューナ５４に供給され、チューナ５４は、指定されたチャンネルの放送信号を選択する。
【００１４】
そして、このチューナ５４で選択された放送信号は、ＯＦＤＭ（orthogonal frequency division multiplexing）復調器５５に供給されて、デジタルの映像信号及び音声信号に復調された後、上記信号処理部５１に出力される。
【００１５】
また、上記地上波放送受信用のアンテナ５２で受信した地上アナログテレビジョン放送信号は、入力端子５３を介して地上アナログ放送用のチューナ５６に供給され、チューナ５６は指定されたチャンネルの放送信号を選択する。そして、このチューナ５６で選択された放送信号は、アナログ復調器５７に供給されてアナログの映像信号及び音声信号に復調された後、上記信号処理部５１に出力される。
【００１６】
ここで、上記信号処理部５１は、ＰＳＫ復調器５０及びＯＦＤＭ復調器５５からそれぞれ供給されたデジタルの映像信号及び音声信号に対して、選択的に所定のデジタル信号処理を施し、グラフィック処理部５８及び音声処理部５９に出力している。
【００１７】
また、上記信号処理部５１には、複数（図示の場合は４つ）の入力端子６０ａ，６０ｂ，６０ｃ，６０ｄが接続されている。これら入力端子６０ａ〜６０ｄは、それぞれ、アナログの映像信号及び音声信号を、デジタルテレビジョン放送受信装置１００の外部から入力可能とするものである。
【００１８】
そして、この信号処理部５１は、上記アナログ復調器５７及び各入力端子６０ａ〜６０ｄからそれぞれ供給されたアナログの映像信号及び音声信号を選択的にデジタル化し、そのデジタル化された映像信号及び音声信号に対して所定のデジタル信号処理を施した後、グラフィック処理部５８及び音声処理部５９に出力している。
【００１９】
このうち、グラフィック処理部５８は、信号処理部５１から供給されるデジタルの映像信号に、ＯＳＤ（on screen display）信号生成部６１で生成されるＯＳＤ信号を重畳して出力する機能を有する。このグラフィック処理部５８は、信号処理部５１の出力映像信号と、ＯＳＤ信号生成部６１の出力ＯＳＤ信号とを選択的に出力すること、また、両出力を組み合わせて出力することができる。
【００２０】
そして、グラフィック処理部５８から出力されたデジタルの映像信号は、映像処理部６２に供給される。映像処理部６２により処理された映像信号は、映像表示部１４に供給され、また出力端子にも供給される。映像表示部１４は、映像信号に基づく映像を表示し、出力端子に対して外部機器が接続されると、出力端子に供給された映像信号は、外部機器へ入力される。
【００２１】
また、上記音声処理部５９は、入力されたデジタルの音声信号を、前記スピーカ１５で再生可能なアナログ音声信号に変換した後、スピーカ１５に出力して音声出力させるとともに、出力端子を介して外部に導出させる。
【００２２】
なお、デジタルテレビジョン放送受像装置１００の制御モジュール６５が、上記した信号処理等を含む全ての処理及び動作を統括的に制御する。制御モジュール６５は、ＣＰＵ（central processing unit）等により構成されている。制御モジュール６５は、操作部１６からの操作情報、または、前記リモートコントローラ１７から送出され受光部１８を介して受信した操作情報（コード）に基づき、操作内容が反映されるように各部をそれぞれ制御している。
【００２３】
この場合、制御モジュール６５は、主として、ＣＰＵが実行する制御プログラムを格納したＲＯＭ（read only memory）６６と、ＣＰＵに作業エリアを提供するＲＡＭ（random access memory）６７と、各種の設定情報及び制御情報等が格納される不揮発性メモリ６８とを利用している。
【００２４】
また、上記制御モジュール６５は、通信Ｉ／Ｆ７３を介して情報を送受信することができる。さらに、上記制御モジュール６５は、ＵＳＢ Ｉ／Ｆ７６を介してＵＳＢ対応機器（例えば外付けＨＤＤ１０２）と情報伝送を行なうことができる。
【００２５】
さらに、上記制御モジュール６５は、不揮発性メモリ６８に記憶された録画予約リストに含まれた録画予約情報を参照し、受信信号に基づくコンテンツ（番組）の録画動作を制御する。録画先としては、例えば内蔵ＨＤＤ１０１、ＵＳＢ端子２４を介して接続された外付けＨＤＤ１０２、ＨＤＭＩ端子を介して接続されたハードディスクレコーダ、ＤＶＤレコーダ、又はブルーレイレコーダがある。
【００２６】
さらに、デジタルテレビジョン放送受像装置１００は、ＩＲ（Infrared signal）信号生成部７７、ＩＲ信号出力部７８及び７９、ＨＤＭＩ９０、９１、９２を備える。制御モジュール６５は、受光部１８により受信されたコードを解析し、前記コードに基づき各部を制御したり、前記コードに対応するＩＲ信号の生成及び出力を制御したりする。ＩＲ信号生成部７７は、前記コードに対応するＩＲ信号を生成する。ＩＲ信号出力部７８及び７９は、ＩＲブラスターと呼ばれる制御線により構成され、生成されたＩＲ信号を出力（送信／発光）する。即ち、デジタルテレビジョン放送受像装置１００は、受光部１８により受信されたコードに基づきデジタルテレビジョン放送受像装置１００内の各部を制御することもできるし、また、受光部１８により受信されたコードに基づき外部機器を制御することもできる。以下、これらについて詳細に説明する。
【００２７】
図２は、デジタルテレビジョン放送受像装置１００と外部機器の接続例を示す図である。デジタルテレビジョン放送受像装置１００は、１以上の外部機器と接続可能に構成されている。例えば、図１に示すように、デジタルテレビジョン放送受像装置１００は、デジタルテレビジョン放送受像装置１００は、ＨＤＭＩ９０、９１、９２を介して、外部機器８０、８１、８２と接続される。また、デジタルテレビジョン放送受像装置１００は、リモートコントローラ１７からの制御情報（コード）を受信可能に構成されている。
【００２８】
なお、外部機器８０は、後述する第２の機器識別情報に対応する外部機器であり、外部機器８０は、第２の機器識別情報を記憶し、第２の機器識別情報を含むコードを受信すると、受信したコードに含まれる命令を実行する。外部機器８１は、後述する第３の機器識別情報に対応する外部機器であり、外部機器８１は、第３の機器識別情報を記憶し、第３の機器識別情報を含むコードを受信すると、受信したコードに含まれる命令を実行する。外部機器８２は、後述する第４の機器識別情報に対応する外部機器であり、外部機器８２は、第４の機器識別情報を記憶し、第４の機器識別情報を含むコードを受信すると、受信したコードに含まれる命令を実行する。デジタルテレビジョン放送受像装置１００は、後述する第１の機器識別情報に対応する機器であり、デジタルテレビジョン放送受像装置１００は、第１の機器識別情報を記憶し、第１の機器識別情報を含むコードを受信すると、受信したコードに含まれる命令を実行する。
【００２９】
図３に示すように、リモートコントローラ１７は、複数のキーが配置された入力部を備える。例えば、リモートコントローラ１７は、ＴＶモードセレクトキー１７ａ、ＣＡＢＬＥ／ＳＡＴモードセレクトキー１７ｂ、ＢＤ／ＤＶＤモードセレクトキー１７ｃ、ＡＵＸモードセレクトキー１７ｄを備える。また、リモートコントローラ１７は、チャンネルキー１７ｅ１、チャンネルキー１７ｅ２、チャンネルキー１７ｅ３、チャンネル変更キー１７ｆ、音量変更キー１７ｇを備える。また、図１に示すように、リモートコントローラ１７は、制御部１７１、記憶部１７２、送信部１７３、ＬＥＤ部１７４、モーションセンサー１７５を備える。
【００３０】
記憶部１７２は、複数の機器に対応する複数のコードを記憶する。例えば、図１０に示すように、各モード（ＴＶモード（本体モード）、ＣＡＢＬＥ／ＳＡＴモード（外部機器モード）、ＢＤ／ＤＶＤモード（外部機器モード）、ＡＵＸモード（外部機器モード））に対応するコードを記憶する。ＴＶモードに対応するコードは、ＴＶに相当するデジタルテレビジョン放送受像装置１００の機器識別情報（第１の機器識別情報（例えば4001））を含む。ＣＡＢＬＥ／ＳＡＴモードに対応するコードは、ＣＡＢＬＥ／ＳＡＴに相当する外部機器８０の機器識別情報（第２の機器識別情報（例えば4002））を含む。ＢＤ／ＤＶＤモードに対応するコードは、ＢＤ／ＤＶＤに相当する外部機器８１の機器識別情報（第２の機器識別情報（例えば4003））を含む。ＡＵＸモードに対応するコードは、ＡＵＸに相当する外部機器８２の機器識別情報（第３の機器識別情報（例えば4004））を含む。複数の機器に対応する複数のコードは、予め記憶部１７２が記憶している。なお、第２、第３の機器識別情報は、第１の機器識別情報の一部（40）を含んでいる。
【００３１】
例えば、ＴＶモードセレクトキー１７ａが押下されると、ＴＶモードセレクトキー１７ａは、ＴＶモードを指定し、制御部１７１は、ＴＶモードを設定し、記憶部１７２は、ＴＶモードの設定を記憶する。ＴＶモードが設定された状態（ＴＶモードの設定が記憶された状態）で、チャンネルキー１７ｅ１（例えばチャンネルＣＨ１のチャネルキー）が押下されると、チャンネルキー１７ｅ１は、チャンネルを指定（例えばチャンネルＣＨ１を指定）し、制御部１７１は、設定されたＴＶモードに対応するコードの送信を制御する。つまり、制御部１７１は、第１の機器識別情報を含むチャンネル指定コード（第１の機器識別情報を含み且つチャンネルＣＨ１を選択する命令を含むコード）の送信を制御する。これに対応して、送信部１７３は、第１の機器識別情報を含むチャンネル指定コード（例えば赤外線信号）を送信する。なお、チャンネル指定コードは、少なくともチャンネルを選択する命令を含み、機器識別情報を含まなくてもよい。
【００３２】
また、ＣＡＢＬＥ／ＳＡＴモードセレクトキー１７ｂが押下されると、ＣＡＢＬＥ／ＳＡＴモードセレクトキー１７ｂは、ＣＡＢＬＥ／ＳＡＴモードを指定し、制御部１７１は、ＣＡＢＬＥ／ＳＡＴモードを設定し、記憶部１７２は、ＣＡＢＬＥ／ＳＡＴモードの設定を記憶する。ＣＡＢＬＥ／ＳＡＴモードが設定された状態で、チャンネルキー１７ｅ１（例えばチャンネルＣＨ１のチャネルキー）が押下されると、チャンネルキー１７ｅ１は、チャンネルを指定（例えばチャンネルＣＨ１を指定）し、制御部１７１は、設定されたＣＡＢＬＥ／ＳＡＴモードに対応するコードの送信を制御する。つまり、制御部１７１は、第２の機器識別情報を含むチャンネル指定コード（第２の機器識別情報を含み且つチャンネルＣＨ１を選択する命令を含むコード）の送信を制御する。これに対応して、送信部１７３は、第２の機器識別情報を含むチャンネル指定コードを送信する。
【００３３】
また、ＢＤ／ＤＶＤモードセレクトキー１７ｃが押下されると、ＢＤ／ＤＶＤモードセレクトキー１７ｃは、ＢＤ／ＤＶＤモードを指定し、制御部１７１は、ＢＤ／ＤＶＤモードを設定し、記憶部１７２は、ＢＤ／ＤＶＤモードの設定を記憶する。ＢＤ／ＤＶＤモードが設定された状態で、チャンネルキー１７ｅ１（例えばチャンネルＣＨ１のチャネルキー）が押下されると、チャンネルキー１７ｅ１は、チャンネルを指定（例えばチャンネルＣＨ１を指定）し、制御部１７１は、設定されたＢＤ／ＤＶＤモードに対応するコードの送信を制御する。つまり、制御部１７１は、第３の機器識別情報を含むチャンネル指定コード（第３の機器識別情報を含み且つチャンネルＣＨ１を選択する命令を含むコード）の送信を制御する。これに対応して、送信部１７３は、第３の機器識別情報を含むチャンネル指定コードを送信する。
【００３４】
また、ＡＵＸモードセレクトキー１７ｄが押下されると、ＡＵＸモードセレクトキー１７ｄは、ＡＵＸモードを指定し、制御部１７１は、ＡＵＸモードを設定し、記憶部１７２は、ＡＵＸモードの設定を記憶する。ＡＵＸモードが設定された状態で、チャンネルキー１７ｅ１（例えばチャンネルＣＨ１のチャネルキー）が押下されると、チャンネルキー１７ｅ１は、チャンネルを指定（例えばチャンネルＣＨ１を指定）し、制御部１７１は、設定されたＡＵＸモードに対応するコードの送信を制御する。つまり、制御部１７１は、第４の機器識別情報を含むチャンネル指定コード（第４の機器識別情報を含み且つチャンネルＣＨ１を選択する命令を含むコード）の送信を制御する。これに対応して、送信部１７３は、第４の機器識別情報を含むチャンネル指定コードを送信する。
【００３５】
デジタルテレビジョン放送受像装置１００の受信部１８は、リモートコントローラ１７から送信されるコードを受信し、制御モジュール６５は、受信コードを解析し、受信コードの解析結果に応じて、受信コードに基づき動作を制御したり、受信コードを外部（外部機器）へ送信（転送）したりする。つまり、制御モジュール６５は、第１の機器識別情報を含む第１の受信コードに基づき、第１の受信コードで自機器を制御し、第２、第３、第４の機器識別情報を含む第２、第３、第４の受信コードに基づき、外部へ第２、第３、第４の機器識別情報を含む第２、第３、第４の受信コードを送信する。
【００３６】
例えば、制御モジュール６５は、第１の機器識別情報を含む第１の受信コードに基づき、第１の受信コードにより動作（各部の動作）を制御（指示）し、第２の機器識別情報を含む第２の受信コードに基づき、外部（外部機器）へ第２の機器識別情報を含む第２の受信コードの送信（転送）を制御（指示）し、第３の機器識別情報を含む第３の受信コードに基づき、外部（外部機器）へ第３の機器識別情報を含む第３の受信コードの送信（転送）を制御（指示）し、第４の機器識別情報を含む第４の受信コードに基づき、外部（外部機器）へ第４の機器識別情報を含む第４の受信コードの送信（転送）を制御（指示）する。
【００３７】
第２の受信コードの送信制御に対応して、ＩＲ信号生成部７７は、第２の機器識別情報を含む第２の受信コードに対応する第２のＩＲ信号を生成し、ＩＲ信号出力部７８及び７９は、生成された第２のＩＲ信号を出力（送信／発光）する。外部装置８０の受信部８０ａ、外部装置８１の受信部８１ａ、外部装置８２の受信部８２ａは、第２のＩＲ信号を受信（受光）する。例えば、外部装置８０が、第２の機器識別情報を含むコードに基づき動作することが設定されている場合、この外部装置８０は、第２の受信コードに含まれた第２の機器識別情報を認識し、第２の受信コードに含まれた命令を実行する。なお、外部装置８１が、第３の機器識別情報を含むコードに基づき動作することが設定されている場合、この外部装置８１は、第２の受信コードに含まれた第２の機器識別情報を認識し、第２の受信コードに含まれた命令を実行しない。同様に、外部装置８２が、第４の機器識別情報を含むコードに基づき動作することが設定されている場合、この外部装置８２は、第２の受信コードに含まれた第２の機器識別情報を認識し、第２の受信コードに含まれた命令を実行しない。
【００３８】
第３の受信コードの送信制御に対応して、ＩＲ信号生成部７７は、第３の機器識別情報を含む第３の受信コードに対応する第３のＩＲ信号（Infrared signal）を生成し、ＩＲ信号出力部７８及び７９は、生成された第３のＩＲ信号を出力（送信／発光）する。外部装置８０の受信部８０ａ、外部装置８１の受信部８１ａ、外部装置８２の受信部８２ａは、第３のＩＲ信号を受信（受光）する。例えば、外部装置８０は、第３の受信コードに含まれた第３の機器識別情報を認識し、第３の受信コードに含まれた命令を実行しない。外部装置８１は、第３の受信コードに含まれた第３の機器識別情報を認識し、第３の受信コードに含まれた命令を実行する。外部装置８２は、第３の受信コードに含まれた第３の機器識別情報を認識し、第３の受信コードに含まれた命令を実行しない。
【００３９】
第４の受信コードの送信制御に対応して、ＩＲ信号生成部７７は、第４の機器識別情報を含む第４の受信コードに対応する第４のＩＲ信号（Infrared signal）を生成し、ＩＲ信号出力部７８及び７９は、生成された第４のＩＲ信号を出力（送信／発光）する。外部装置８０の受信部８０ａ、外部装置８１の受信部８１ａ、外部装置８２の受信部８２ａは、第４のＩＲ信号を受信（受光）する。例えば、外部装置８０は、第４の受信コードに含まれた第４の機器識別情報を認識し、第４の受信コードに含まれた命令を実行しない。外部装置８１は、第４の受信コードに含まれた第４の機器識別情報を認識し、第４の受信コードに含まれた命令を実行しない。外部装置８２は、第４の受信コードに含まれた第４の機器識別情報を認識し、第４の受信コードに含まれた命令を実行する。
【００４０】
なお、上記説明では、リモートコントローラ１７が、モードセレクトキーが押下されチャンネル指定キーが押下された場合に、機器識別情報を含むコード（チャンネル指定コード）を送信するケースについて説明したが、リモートコントローラ１７が、モードセレクトキーが押下された場合に、モードを指定するコードを送信し、チャンネル指定キーが押下された場合に、チャンネルを指定するコードを送信してもよい。
【００４１】
この場合、デジタルテレビジョン放送受像装置１００の受信部１８は、リモートコントローラ１７から送信されるモードを指定するコードを受信し、これに対応して制御モジュール６５は、モードの指定に基づき、後続の受信コードの処理を切り換える。
【００４２】
例えば、ＴＶモードを指定するコードを受信すると、制御モジュール６５が、ＴＶモードを設定する。その後、制御モジュール６５が、制御コード（チャンネルＣＨ１を選択する命令を含むコード）を受信すると、ＴＶモードの設定に対応して、制御コードに基づき、動作を制御する。つまり、制御モジュール６５は、ＴＶモードの設定に対応して、制御コードに基づき、チャンネルＣＨ１を選択する。
【００４３】
また、ＣＡＢＬＥ／ＳＡＴモードを指定するコードを受信すると、制御モジュール６５が、ＣＡＢＬＥ／ＳＡＴモードを設定する。その後、制御モジュール６５が、制御コード（チャンネルＣＨ１を選択する命令を含むコード）を受信すると、ＣＡＢＬＥ／ＳＡＴモードの設定に対応して、制御コードの外部への送信を制御する。ＩＲ信号生成部７７は、機器識別情報（ＣＡＢＬＥ／ＳＡＴモードに対応する第２の機器識別情報）を含む制御コードに対応するＩＲ信号を生成し、ＩＲ信号出力部７８及び７９は、生成されたＩＲ信号を出力（送信／発光）する。
【００４４】
また、ＢＤ／ＤＶＤモードを指定するコードを受信すると、制御モジュール６５が、ＢＤ／ＤＶＤモードを設定する。その後、制御モジュール６５が、制御コード（チャンネルＣＨ１を選択する命令を含むコード）を受信すると、ＢＤ／ＤＶＤモードの設定に対応して、制御コードの外部への送信を制御する。ＩＲ信号生成部７７は、機器識別情報（ＢＤ／ＤＶＤモードに対応する第３の機器識別情報）を含む制御コードに対応するＩＲ信号を生成し、ＩＲ信号出力部７８及び７９は、生成されたＩＲ信号を出力（送信／発光）する。
【００４５】
また、ＡＵＸモードを指定するコードを受信すると、制御モジュール６５が、ＡＵＸモードを設定する。その後、制御モジュール６５が、制御コード（チャンネルＣＨ１を選択する命令を含むコード）を受信すると、ＡＵＸモードの設定に対応して、制御コードの外部への送信を制御する。ＩＲ信号生成部７７は、機器識別情報（ＡＵＸモードに対応する第４の機器識別情報）を含む制御コードに対応するＩＲ信号を生成し、ＩＲ信号出力部７８及び７９は、生成されたＩＲ信号を出力（送信／発光）する。
【００４６】
なお、上記説明では、チャンネルＣＨ１を選択する命令を含むコードについて説明したが、音量を変更するコード、画質を変更するコード、及び表示設定を変更するコードなどでもよい。
【００４７】
また、上記説明では、デジタルテレビジョン放送受像装置１００が、複数のＩＲ信号出力部を備えるケースについて説明したが、ＩＲ信号出力部は１つであってもよい。また、１つのＩＲ信号出力部からの信号を１つの外部機器が受信するシステム構成であってもよいし、１つのＩＲ信号出力部からの信号を複数の外部機器が受信するシステム構成であってもよい。
【００４８】
また、上記説明では、リモートコントローラ１７が、ＩＲ信号を送信するケースについて説明したが、リモートコントローラ１７は、デジタルテレビジョン放送受像装置１００の無線ＬＡＮ送受信部への信号を送信するものであってもよいし、デジタルテレビジョン放送受像装置１００のＢｌｏｏｔｏｏｔｈ（登録商標）送受信部への信号を送信するものであってもよい。
【００４９】
上記したように、リモートコントローラ１７は、設定モードに応じて、デジタルテレビジョン放送受像装置１００を制御するためのカスタムコード、又はデジタルテレビジョン放送受像装置１００に接続された外部機器を制御するためのカスタムコードを送信する。
【００５０】
これにより、例えば、ユーザが、ＴＶモードセレクトキー１７ａを押下し、チャンネルキー１７ｅ１等を押下した場合、リモートコントローラ１７は、デジタルテレビジョン放送受像装置１００の動作（チャンネル切り換え）を制御することになる。ユーザが、ＣＡＢＬＥ／ＳＡＴモードセレクトキー１７ｂを押下し、チャンネルキー１７ｅ１等を押下した場合、リモートコントローラ１７は、デジタルテレビジョン放送受像装置１００を介して間接的に外部機器８０の動作（チャンネル切り換え）を制御することになる。つまり、ユーザは、リモートコントローラ１７をデジタルテレビジョン放送受像装置１００に向けて操作するだけで、デジタルテレビジョン放送受像装置１００、外部機器８０、８１、８２の何れかの動作を制御することができる。
【００５１】
次に図４に示すフローチャートを参照し、リモートコントローラ１７のキー押下に対応する動作制御等について説明する。
【００５２】
例えば、ＣＡＢＬＥ／ＳＡＴモードセレクトキー１７ｂが押下されると、ＣＡＢＬＥ／ＳＡＴモードセレクトキー１７ｂは、ＣＡＢＬＥ／ＳＡＴモードを指定し、制御部１７１は、ＣＡＢＬＥ／ＳＡＴモードを設定し、記憶部１７２は、ＣＡＢＬＥ／ＳＡＴモードの設定を記憶する(ＳＴ４１)。また、送信部１７３は、ＣＡＢＬＥ／ＳＡＴモードを指定する指定コードを送信する(ＳＴ４２)。
【００５３】
ＣＡＢＬＥ／ＳＡＴモードセレクトキー１７ｂが押下された時点で、ＣＡＢＬＥ／ＳＡＴモードが設定されていない場合(Ｓ４３、ＮＯ)、ＣＡＢＬＥ／ＳＡＴモードを示すＬＥＤ１７４ｂが点滅又は点灯し(ＳＴ４４)、制御部１７１は、ＣＡＢＬＥ／ＳＡＴモードに対応する機器用のコードの送信を制御する。つまり、制御部１７１は、ＣＡＢＬＥ／ＳＡＴモードに対応する機器用のコードに切り換える(ＳＴ４５)。以後、リモートコントローラ１７のキー入力に対応して、ＣＡＢＬＥ／ＳＡＴモードに対応する機器用のコードの送信が制御される。
【００５４】
例えば、ユーザによりリモートコントローラ１７のＴＶモードセレクトキー１７ａが押下され、チャンネルキー１７ｅ１（例えばチャンネルＣＨ１のチャネルキー）が押下されると、送信部１７３は、ＴＶモードに対応するチャンネル指定コード（第１の機器識別情報を含み且つチャンネルＣＨ１を選択する命令を含むコード）を送信する。デジタルテレビジョン放送受像装置１００の受信部１８は、ＴＶモードに対応するチャンネル指定コードを受信し、制御モジュール６５は受信コードを解析し、ＴＶモードを検出し、チューナ４９、５４、５６の何れか１つの選択されたチューナのチャンネルＣＨ１に対応する番組の出力を制御する。これに対応して、映像表示部１４は、チャンネルＣＨ１に対応する映像を表示する。
【００５５】
この状態で、ユーザによりＣＡＢＬＥ／ＳＡＴキー１７ｂが押下され、チャンネルキー１７ｅ１（例えばチャンネルＣＨ１のチャネルキー）が押下されると、送信部１７３は、ＣＡＢＬＥ／ＳＡＴモードに対応するチャンネル指定コード（第２の機器識別情報を含み且つチャンネルＣＨ１を選択する命令を含むコード）を送信する。デジタルテレビジョン放送受像装置１００の受信部１８は、ＣＡＢＬＥ／ＳＡＴモードに対応するチャンネル指定コードを受信し、制御モジュール６５は受信コードを解析し、ＣＡＢＬＥ／ＳＡＴモードを検出し、ＣＡＢＬＥ／ＳＡＴモードが実行されたことを示す情報（モード情報）の表示、及びＣＡＢＬＥ／ＳＡＴのチャンネルＣＨ１に対応付けられたチャンネル番号１２３−４５６（コード情報）の表示を制御する。これに対応して、映像表示部１４は、図５に示すように、ＣＡＢＬＥ／ＳＡＴモードが実行されたことを表示し、ＣＡＢＬＥ／ＳＡＴのチャンネルＣＨ１に対応付けられたチャンネル番号１２３−４５６を表示する。
【００５６】
次に、図６に示すフローチャートを参照し、リモートコントローラ１７のキー押下に対応する動作制御等について説明する。
【００５７】
図３に示すように、リモートコントローラ１７は、モーションセンサー１７５を備える。ユーザが、リモートコントローラ１７を手にすると(ＳＴ６１)、モーションセンサー１７５が動きを検出し(ＳＴ６２)、現在のモードに対応するＬＥＤが点滅又は点灯し(ＳＴ６３)、送信部１７３は現在のモードを示すコードを送信する(ＳＴ６４)。デジタルテレビジョン放送受信装置１００の受光部１８は、現在のモードを示すコードを受信し、制御モジュール６５は、現在のモードを示すコードに基づき、現在のモードの表示を制御する。これに対応して、映像表示部１４は、現在のモードを示す情報を表示する(ＳＴ６５)。
【００５８】
例えば、現在のモードがＣＡＢＬＥ／ＳＡＴモードであれば、ＣＡＢＬＥ／ＳＡＴモードを示すＬＥＤ１７４ｂが点滅又は点灯し(ＳＴ６３)、送信部１７３は現在のモードであるＣＡＢＬＥ／ＳＡＴモードを示すコードを送信する(ＳＴ６４)。デジタルテレビジョン放送受信装置１００の受光部１８は、ＣＡＢＬＥ／ＳＡＴモードを示すコードを受信し、制御モジュール６５は、現在のモードであるＣＡＢＬＥ／ＳＡＴモードを示すコードに基づき、現在のモードであるＣＡＢＬＥ／ＳＡＴモードの表示を制御する。これに対応して、映像表示部１４は、現在のモードであるＣＡＢＬＥ／ＳＡＴモードを示す情報を表示する。
【００５９】
次に、図８に示すフローチャートを参照し、リモートコントローラ１７のキー押下に対応する動作制御等について説明する。
【００６０】
例えば、ユーザによりリモートコントローラ１７のＴＶモードセレクトキー１７ａが押下され、チャンネルキー１７ｅ１（例えばチャンネルＣＨ１のチャネルキー）が押下されると、送信部１７３は、ＴＶモードに対応するチャンネル指定コード（第１の機器識別情報を含み且つチャンネルＣＨ１を選択する命令を含むコード）を送信する。デジタルテレビジョン放送受像装置１００の受信部１８は、ＴＶモードに対応するチャンネル指定コードを受信し、制御モジュール６５は受信コードを解析し、ＴＶモードを検出し、チューナ４９、５４、５６の何れか１つの選択されたチューナのチャンネルＣＨ１に対応する番組の出力を制御する。これに対応して、映像表示部１４は、チャンネルＣＨ１に対応する映像（以下、第１の映像と称する）を表示する。
【００６１】
この状態で、ユーザによりＣＡＢＬＥ／ＳＡＴキー１７ｂが押下され、チャンネルキー１７ｅ１（例えばチャンネルＣＨ１のチャネルキー）が押下されると(ＳＴ８１)、送信部１７３は、ＣＡＢＬＥ／ＳＡＴモードに対応するチャンネル指定コード（第２の機器識別情報を含み且つチャンネルＣＨ１を選択する命令を含むコード）を送信する(ＳＴ８２)。デジタルテレビジョン放送受像装置１００の受信部１８は、ＣＡＢＬＥ／ＳＡＴモードに対応するチャンネル指定コードを受信し、制御モジュール６５は受信コードを解析し、ＣＡＢＬＥ／ＳＡＴモードを検出し、ＣＡＢＬＥ／ＳＡＴモードが実行されたことを示す情報の表示、及び外部機器への受信コードの送信を制御する。これに対応して、ＩＲ信号生成部７７は、受信コードに対応するＩＲ信号を生成し、ＩＲ信号出力部７８及び７９は、生成されたＩＲ信号を出力（送信／発光）する。
【００６２】
外部機器８０、８１、８２は、生成されたＩＲ信号を受信する。外部機器８１、８２は、ＩＲ信号を受信しても、このＩＲ信号に含まれた第２の機器識別情報を検出し、このＩＲ信号に含まれた命令を実行しない。外部機器８０は、ＩＲ信号を受信すると、このＩＲ信号に含まれた第２の機器識別情報を検出し、このＩＲ信号に含まれた命令を実行する。つまり、外部機器８０は、このＩＲ信号に含まれたチャンネルＣＨ１を選択する命令に基づき、ＣＡＢＬＥ／ＳＡＴのチャンネルＣＨ１に対応付けられたチャンネル番号１２３−４５６の信号を選択し、外部（つまりデジタルテレビジョン放送受像装置１００）へ出力する。
【００６３】
つまりデジタルテレビジョン放送受像装置１００は、ＨＤＭＩ９０を介して、外部機器８０から出力されたチャンネル番号１２３−４５６の信号を受信する。制御モジュール６５は、チャンネル番号１２３−４５６の信号に基づく映像（以下、第２の映像）のＰＩＰ（Picture In Picture）表示を制御する。これに対応して、映像表示部１４は、図７に示すように、ＣＡＢＬＥ／ＳＡＴモードが実行されたことを表示し、ＣＡＢＬＥ／ＳＡＴのチャンネルＣＨ１に対応付けられたチャンネル番号１２３−４５６に対応する映像をＰＩＰ表示する(ＳＴ８３、ＮＯ)(ＳＴ８４)。つまり、映像表示部１４は、上記した第２の映像を含む第１の映像を表示する。言い換えれば、大きいサイズで第１の映像が表示され、第１の映像の一部に小さいサイズ（小画面）で第２の映像が表示される。
【００６４】
なお、上記説明では、ユーザによりリモートコントローラ１７のＴＶモードセレクトキー１７ａが押下され、チャンネルキー１７ｅ１（例えばチャンネルＣＨ１のチャネルキー）が押下されたケースについて説明したが、ユーザによりリモートコントローラ１７のＴＶモードセレクトキー１７ａが押下されるだけで、上記したＰＩＰ表示を実現するようにしてもよい。この場合、直前に選択されたＣＡＢＬＥ／ＳＡＴのチャンネルの映像がＰＩＰ表示される。
【００６５】
次に、図９に示すフローチャートを参照し、リモートコントローラ１７のキー押下に対応する動作制御等について説明する。
【００６６】
リモートコントローラ１７は、ＴＶモードを基本モードとして記憶し、一定時間経過すると、ＴＶモードに戻る。上記図４、図６、図８等で説明したように、ＣＡＢＬＥ／ＳＡＴモードに切り換えられた状態において(ＳＴ９１)、例えば、制御部１７１が、６０秒をカウントすると(ＳＴ９２、ＹＥＳ)、ＴＶモードのＬＥＤ１７４ａを点滅又は点灯し(ＳＴ９３)、ＴＶモードに対応する機器用のコードの送信を制御する。つまり、制御部１７１は、ＴＶモードに対応する機器用のコードに切り換える(ＳＴ９４)。以後、リモートコントローラ１７のキー入力に対応して、ＴＶモードに対応する機器用のコードの送信が制御される。
【００６７】
以下、本実施形態についてまとめる。
【００６８】
（１）本実施形態のリモートコントローラ１７は、ＩＲブラスター機能を有するチップを搭載せず、複数機器に対応する複数カスタムコードを使い分ける。例えば、リモートコントローラ１７は、ＴＶモード、ＣＡＢＬＥ／ＳＡＴモード、ＢＤ／ＤＶＤモード、ＡＵＸモードの４つのモードの夫々に対応したコードを出力することができる。
【００６９】
（２）デジタルテレビジョン放送受信装置１００は、ＴＶモードに対応する第１の機器識別情報、ＣＡＢＬＥ／ＳＡＴモードに対応する第２の機器識別情報、ＢＤ／ＤＶＤに対応する第３の機器識別情報、及びＡＵＸモードに対応する第４の機器識別情報を記憶する。これにより、デジタルテレビジョン放送受信装置１００は、ＴＶモード、ＣＡＢＬＥ／ＳＡＴモード、ＢＤ／ＤＶＤモード、ＡＵＸモードの４つのモードの夫々に対応したコードを受信し、ＴＶモードに対応したコード（第１の機器識別情報及び命令を含むコード）を受信した場合には、受信したコードに含まれた命令を実行し、ＣＡＢＬＥ／ＳＡＴモードに対応したコード（第２の機器識別情報及び命令を含むコード）を受信した場合には、受信したコードに含まれた命令を実行せずに、ＩＲブラスターケーブルを介して受信したコードに対応するＩＲ信号を外部機器へ転送し、ＢＤ／ＤＶＤモードに対応したコード（第３の機器識別情報及び命令を含むコード）を受信した場合には、受信したコードに含まれた命令を実行せずに、ＩＲブラスターケーブルを介して受信したコードに対応するＩＲ信号を外部機器へ転送し、ＡＵＸモードに対応したコード（第４の機器識別情報及び命令を含むコード）を受信した場合には、受信したコードに含まれた命令を実行せずに、ＩＲブラスターケーブルを介して受信したコードに対応するＩＲ信号を外部機器へ転送する。
【００７０】
例えば、リモートコントローラ１７によりＴＶモードが指定され、デジタルテレビジョン放送受信装置１００がＴＶモードに対応する映像を表示している状態で、ユーザは、リモートコントローラ１７により、ＣＡＢＬＥ／ＳＡＴモード、ＢＤ／ＤＶＤモード、又はＡＵＸモードに対応した操作ができる。
【００７１】
（３）デジタルテレビジョン放送受信装置１００は、ＴＶモードセレクトキー１７ａ、ＣＡＢＬＥ／ＳＡＴモードセレクトキー１７ｂ、ＢＤ／ＤＶＤモードセレクトキー１７ｃ、又はＡＵＸモードセレクトキー１７ｄの押下に対応し、ＴＶモードに関する案内、ＣＡＢＬＥ／ＳＡＴモードに関する案内、ＢＤ／ＤＶＤモードに関する案内、又はＡＵＸモードに関する案内を出力（表示）する。
【００７２】
（４）リモートコントローラ１７は、ユーザに取り上げられたこと（動き）を検出することができるので、この検出に応じて、現在のモードに関する情報を出力（案内表示）することができる。例えば、現在のモードがＴＶモードであれば、ＴＶモードを示すＬＥＤ１７４ａを点滅又は点灯し、現在のモードがＣＡＢＬＥ／ＳＡＴモードであれば、ＣＡＢＬＥ／ＳＡＴモードを示すＬＥＤ１７４ｂを点滅又は点灯する。これにより、ユーザは、リモートコントローラ１７を手に持つだけで、リモートコントローラ１７の案内表示により現在のモードを知ることができる。
【００７３】
（５）リモートコントローラ１７は、ユーザに取り上げられたこと（動き）を検出することができるので、この検出に応じて、現在のモードを通知するコードを出力（送信）することができる。デジタルテレビジョン放送受信装置１００は、現在のモードを通知するコードを受信し、現在のモードに関する情報を出力（案内表示）する。例えば、現在のモードがＴＶモードであれば、ＴＶモードを通知するコードを出力（送信）する。デジタルテレビジョン放送受信装置１００は、現在のモードであるＴＶモードを通知するコードを受信し、現在のモードであるＴＶモードに関する情報を出力（案内表示）する。これにより、ユーザは、リモートコントローラ１７を手に持つだけで、デジタルテレビジョン放送受信装置１００の案内表示により現在のモードを知ることができる。
【００７４】
（６）デジタルテレビジョン放送受信装置１００は、ＣＡＢＬＥ／ＳＡＴモードに対応するコード（第２の機器識別情報及び命令を含むコード）、ＢＤ／ＤＶＤに対応するコード（第３の機器識別情報及び命令を含むコード）、又はＡＵＸに対応するコード（第４の機器識別情報及び命令を含むコード）を受信した場合、受信したコードを外部機器８０、８１又は８２に転送し、外部機器８０、８１、８２から出力される映像をＰＩＰ表示する。これにより、ユーザは、デジタルテレビジョン放送受信装置１００の画面表示で、リモートコントローラ１７の操作を確認することができる。
【００７５】
例えば、デジタルテレビジョン放送受信装置１００が、ＴＶモードに対応した映像（第１の映像）を表示した状態で、ＣＡＢＬＥ／ＳＡＴモードに対応するコードを受信し、外部機器８０からの映像（第２の映像）を受け取った場合、外部機器８０からの映像をＰＩＰ表示する。つまり、デジタルテレビジョン放送受信装置１００は、第２の映像を含む第１の映像を表示する。これにより、ユーザは、ＴＶモードに対応した映像を見ながら、外部機器８０の映像も見ることができ、ＴＶモードに対応した映像を見ながら外部装置８０を操作することができる。
【００７６】
（７）リモートコントローラ１７は、ＣＡＢＬＥ／ＳＡＴモード、ＢＤ／ＤＶＤモード、又はＡＵＸモードの指定操作を受け付けてから、一定時間、次の操作を検出しない場合、現在のモードをＴＶモードへ切り換える。
【００７７】
以上により、デジタルテレビジョン放送受信装置１００に対して複数の外部機器が接続されている場合であっても、ユーザは、複数のリモートコントローラを使わなくても（複数のリモートコントローラを持ち替えたりしなくても）、１台のリモートコントローラ１７により簡単にデジタルテレビジョン放送受信装置１００を操作することもできるし、複数の外部機器を操作することもできる。
【００７８】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００７９】
１４…映像表示部、１７…リモートコントローラ、１８…受光部、６５…制御モジュール、７７…ＩＲ信号生成部、７８、７９…ＩＲ信号出力部、１００…デジタルテレビジョン放送受信装置、
【図１】
2014120873.tif 000003
【図２】
2014120873.tif 000004
【図３】
2014120873.tif 000005
【図４】
2014120873.tif 000006
【図５】
2014120873.tif 000007
【図６】
2014120873.tif 000008
【図７】
2014120873.tif 000009
【図８】
2014120873.tif 000010
【図９】
2014120873.tif 000011
【図１０】
2014120873.tif 000012